(57)【要約】【課題】取り扱い簡便にして元来の正式な袱紗の外観形状を有する金封袱紗を提供すること。【解決手段】本考案は、基布１の長辺下端を底辺とする金封収容用のポケットＲ１を設け、基布１の上方に、基布１の上端を折り目としてポケットＲ１の側に折り返し自在に形成された蓋部５を設けて成る金封袱紗６であって、ポケットＲ１の前面が、基布１の長片下端を底辺とする、基布１の高さの５０〜９０％の高さの前面部材Ｆから成り、前面部材Ｆが、基布１の上面に当接する山形の下布片４と、下布片４を部分的に覆う中布片３と、下布片４および中布片３を部分的に覆う上布片２とが重畳的に分離不能に重ねられて成るものであって、その左右両側縁および下端を各々対応する基布１の左右両側縁および下端と閉じ合わせた状態とされるものであることを特徴とする。【選択図】図２
0003123866.tif 000002
【実用新案登録請求の範囲】
【請求項１】
横長長方形の基布の長辺下端を底辺として、前記基布の当該下端に対向する開口から金封を出し入れ可能な金封収容用のポケットを設け、前記基布の上方に、前記開口を覆うように、前記基布の上端を折り目として前記ポケットの側に折り返し自在に形成された蓋部を設けて成る金封袱紗であって、
前記ポケットの前面が、前記基布の長片下端を底辺とする、前記基布の高さの５０〜９０％の高さの前面部材から成り、
前記前面部材が、前記基布の上面に当接する山形の下布片と、前記下布片を部分的に覆う中布片と、前記下布片および中布片を部分的に覆う上布片とが重畳的に分離不能に重ねられて成る部材であって、その左右両側縁および下端を各々対応する前記基布の左右両側縁および下端と閉じ合わせた状態とされるものであり、
前記中布片が、当該下布片の山形先端部分の左側から右下がり斜めに前記下布片の上に重ねられて保持される布片であり、前記上布片が、前記先端部分の右側から左下がり斜めに前記下布片および前記中布片の上に重ねられて保持される布片であることを特徴とする金封袱紗。
【請求項２】
前記上布片が、前記基布１の長辺下端を底辺とし、その右側縁の高さＨ２が前記基布１の高さの６０〜９５％の高さで、その左側縁の高さＨ３が当該上布片の前記右側縁の高さＨ２の３５〜８５％で、上端Ｕ１が左下がりの略直角台形形状の布片２であって、その右側縁、左側縁および下端を各々当該基布１の右側縁、左側縁および下端と閉じ合わされた状態とされるものであり、
前記中布片が、前記基布１の長辺下端を底辺とし、その左側縁の高さＨ４が前記上布片の右側縁の高さＨ２の９０〜１１０％の高さで、その右側縁の高さが当該中布片の前記左側縁の高さＨ４の３０〜８５％の高さで、上端Ｕ２が右下がりの略直角台形形状の布片３であって、その左側縁、右側縁および下端を、各々当該基布１の左側縁、右側縁および下端と閉じ合わされた状態とされるものであり、
前記下布片が、前記基布の長辺下端を底辺とし、先端の高さＨ１が前記上布片の右側縁の高さＨ２の９０〜１１０％の山形の布片４であって、その下端を前記基布１の下端に閉じ合わされた状態とされるものであることを特徴とする、請求項１に記載の金封袱紗。
【請求項３】
前記蓋部が、前記基布の上端の上方に連設された、前記基布の上端を底辺として高さが前記基布の高さの２／３〜１／１の逆ベース型形状５ないし等脚台形形状のもの５'であって、前記金封収容用のポケットの側に折り返した時に外側にくる面に、前記基布の前記左側縁側を上方向とする慶事用模様Ｉ−１を有することをさらに特徴とし、慶事の場面で用いられるものである、請求項１または請求項２に記載の金封袱紗。
【請求項４】
前記蓋部が、前記基布の上端の上方に連設された、前記基布の上端を底辺として高さが前記基布の高さの２／３〜１／１の逆ベース型形状５ないし等脚台形形状のもの５'であって、前記金封収容用のポケットの側に折り返した時に外側にくる面に、前記基布の前記右側縁側を上方向とする弔事用模様Ｉ−２を有することをさらに特徴とし、弔事の場面で用いられるものである、請求項１または請求項２に記載の金封袱紗。
【請求項５】
絹、レーヨン、ポリエステル、アセテートから選択される生地に、厚紙、不織布、レーヨン、ポリエステル、綿から選択される芯材を重ね合わせた材で構成されることを特徴とする、請求項１〜４のいずれか１項に記載の金封袱紗。
【考案の詳細な説明】
【技術分野】
【０００１】
本考案は、慶弔用品の分野、特に金封袱紗の分野に関するものである。
【背景技術】
【０００２】
慶弔の場に金封を持参する際、慶弔金を汚さぬようにとの計らいから、袱紗に包んで金封を取り扱うのがマナーである。このような場面で用いられる袱紗は元来略正方形の布であり、その使用に関しては、相手を思いやる気持ちを込めた慣習上正式とされる包み方が確立している。即ち、この元来の袱紗を慶事の場面で使用する場合は、前記略正方形の袱紗をその四隅を上下垂直位置に配置して、その中央部やや左寄りに金封を載せ、図１Ａに示すように、まず袱紗左隅部分（ａ、図１）を右側へ折り畳んで金封の上に重ね(第一段階)、次に上隅部分（ｂ）を下側へ折り畳んで、前記折り畳まれた袱紗左隅部分に重ね(第二段階)、次に下隅部分（ｃ）を上側へ折り畳んで、前記折り畳まれた袱紗上隅部分に重ね(以下、第三段階と呼ぶ)、最後にこれらの上から袱紗右隅部分（ｄ）を左側へ折り畳んで金封を包み込む(第四段階、図示せず)のが礼儀に沿っており、この包み方には、第三段階で、左隅部分（ａ）および上隅部分（ｂ）の上に下側から下隅部分（ｃ）が重ねられる形状により、相手方の祝意を「受ける」という意味が込められる。一方、弔事の場面で使用する場合は、慶事とは逆であり、前記正方形の袱紗の中央部やや右よりに載せた金封の上から、図１Ｂに示すように、まず袱紗右隅部分（ｄ）を左側へ折り畳み、次に袱紗下隅部分（ｃ）を上側へ折り畳み、それから袱紗上隅部分（ｂ）を下側へ折り畳み、そして最後に左隅部分（ａ）を右側へ折り畳んで包むのが礼儀に沿っており、これには、第三段階で、右隅部分（ｄ）および下隅部分（ｃ）の上に上側から上隅部分（ｂ）が重ねられる形状により、相手方の哀しみに「頭を下げる」という意味が込められる。
【考案の開示】
【考案が解決しようとする課題】
【０００３】
しかし、かかる従来の袱紗は、前記の正式な包み方を知らない使用者にとっては使用するのに抵抗があり、また、前もって金封を包んでも、持参するうちに形が崩れてしまう等、取り扱いが難しい。そこで近年は、金封収容のためのポケット部分と蓋部を備え、ポケット部分に金封を収めて蓋部を閉じて持ち運びできる取り扱いの簡便な簡易袱紗が製造販売され、広く使用されている。
【０００４】
ところで、この簡易袱紗は、金封を簡便かつ確実に収容保護するという機能面のみが重視され、概してポケット部分の前面部分が扁平な一枚布の布材を用いて構成されており、ポケット部分の前面部分に、使用時の正式な袱紗の外観形状を意識して創意工夫を凝らしたものはなかった。しかし、袱紗の四隅の畳み方は元来前記のような意味を持つものであるから、簡易袱紗においても、本来の袱紗における、相手を敬う渡し手の心を表現する形状は確保したいものである。
そこで考案者はここに、確実に金封を収容・保護し、取り扱い簡便にして元来の正式な袱紗包みの外観形状を保持する画期的な形態の慶弔両用可能な金封袱紗および、慶事ないし弔事用袱紗を創作した。
【課題を解決するための手段】
【０００５】
本考案は、前記元来の袱紗の正式な包み方の第三段階で形成される袱紗の形状を模した形態の金封袱紗であり、横長長方形の基布の長辺下端を底辺として、前記基布の当該下端に対向する開口から金封を出し入れ可能な金封収容用のポケットを設け、前記基布の上端部上方に、前記開口を覆うように、前記基布の上端を折り目として前記金封収容用のポケットの側に折り返し自在に形成された蓋部を設けて成る金封袱紗において、前記金封収容ポケットの前面が、前記基布の長片下端を底辺とする、前記基布の高さの５０〜９０％の高さの前面部材から成り、前記前面部材が、前記基布の上面に当接する山形の下布片と、前記下布片を部分的に覆う中布片と、前記下布片および中布片を部分的に覆う上布片とが、重畳的に分離不能に重ねられて成る部材であって、その左右両側縁および下端を各々対応する前記基布の左右両側縁および下端と閉じ合わせた状態として、袋構造を形成したこと（第一の特徴）、および、前記中布片が、当該下布片の山形先端部分の左側から右下がり斜めに前記下布片の上に重ねられて保持され、前記上布片が、前記先端部分の右側から左下がり斜めに前記下布片および前記中布片の上に重ねられて保持される構成としたこと（第二の特徴）、を特徴とする金封袱紗に関するものである。なお以下では、前記第一の特徴と第二の特徴を合わせて本願考案の特徴と呼ぶ。
【０００６】
かかる構成により、本考案の金封袱紗において、前記上布片が、前記元来の袱紗の慶事の包みの下隅部分（ｃ、図１Ａ）および弔事の包みの上隅部分（ｂ、図１Ｂ）に対応し、前記中布片が前記元来の袱紗の慶事の包みの上隅部分（ｂ、図１Ａ）および弔事の包みの下隅部分（ｃ、図１Ｂ）に対応し、前記下布片が前記元来の袱紗の慶事の包みの左隅部分（ａ、図１Ａ）および弔事の包みの右隅部分（ｄ、図１Ｂ）に対応して、元来の袱紗包みの最も下に配置される左隅部分ないし右隅部分の先端角部の両側から各々斜めに、当該上隅部分ないし下隅部分と当該下隅部分および上隅部分が重畳的に重ねられた形状を前面部分に呈するポケットが、基布の上面下端から上部一帯に形成される。
【０００７】
ここで、本考案の金封袱紗を構成する前記基布は、金封を収容する当該ポケット部分の背面部を構成して金封を支持する基台となる部材であり、収容される金封よりも１ｃｍ〜２．５ｃｍ周囲を大きくとったサイズの横長長方形のものである。
なお、本明細書および実用新案登録請求の範囲の記載中、下布片と中布片と上布片とが、「重畳的に分離不能に重ねられて」とは、下布片の上に中布片を重ね、その上にさらに上布片を重ね、といった具合に３枚の布片を積み重ねた状態であって、各布片を、他の布片との当該重なり部分において、その互いに当接する面部分を接着ないし縫合する等して互いに分離しないようにした状態や、その互いに当接する面部分は非接着状態とする一方で、当該布片の縁部を部分的に基布ないし他の布片の一部分に止着することにより、当該布片を定位置に保持して、他の布片からずれ外れたり遊離したりしないようにした状態を含む。
【０００８】
また、本明細書および実用新案登録請求の範囲の記載中、基布の側縁ないし下端に布片が「閉じ合わされた状態」とは、当該基布と布片の互いに当接する面と面とが、当該側縁ないし下端で袋状に閉じている状態を意味し、互いに分離状態で存在する基布と布片が重ね合わされてその縁同士ないし下端同士が止着されて袋状に閉じられた場合のみならず、基布の側縁ないし下端に連設された布片が、当該側縁ないし下端を折り目として基布上面側に折り返されることにより、袋状に閉じられた場合をも含む。
【０００９】
本考案の一態様では、前記上布片は、前記基布の長辺下端を底辺とし、その右側縁の高さが前記基布の高さの６０〜９５％の高さで、その左側縁の高さが当該上布片の前記右側縁の高さの３５〜８５％で、上端が左下がりの略直角台形形状の布片であって、その右側縁、左側縁および下端を各々当該基布の右側縁、左側縁および下端と閉じ合わされた状態とされる布片（以下、第一の上布片と呼ぶ）であり、前記中布片は、前記基布の長辺下端を底辺とし、その左側縁の高さが前記上布片の右側縁の高さの９０〜１１０％の高さで、その右側縁の高さが当該中布片の前記左側縁の高さの３０〜８５％の高さで、上端が右下がりの略直角台形形状の布片であって、その左側縁、右側縁および下端を、各々当該基布の左側縁、右側縁および下端と閉じ合わされた状態とされる布片（以下、第一の中布片と呼ぶ）であり、前記下布片は、前記基布の長辺下端を底辺とし、先端の高さが前記上布片の右側縁の高さの９０〜１１０％の山形の布片であって、その下端を前記基布の下端に閉じ合わされた状態とされる布片（以下、第一の下布片と呼ぶ）である。
【００１０】
この態様によれば、基布の上面の下端から上部一帯において、山形の下布片の上に、左右から対称的に各々斜めに中布片および上布片が重ねられて成る、元来の袱紗包みに似た重厚感ある表面形態を有するポケット前面部分が得られる他、次のような効果も得られる。即ち、基布との間で金封を挟持する前記下布片の下端から上部を外側から中布片および上布片が覆い、各々その左右側縁を基布に止着して固定した状態となっているため、当該下布片が前記２枚の布片に支持されて、当該第一の下布片と基布上面の間の間隔が一定に保持され、当該第一の下布片と基布上面の間に確実かつ安定に金封を挟持・収容できる。なお、前記第一の下布片はこのように前記第一の上布片に外側を支持されるものであるから、特にベース型形状の場合において、その左右縁は基布の左右縁に閉じ合されていてもいなくてもよい。
【００１１】
しかし、本考案の金袱袱紗において、前記上布片、中布片および下布片は、前記本考案の特徴を確保する限りにおいて、種々の形態のものが可能である。
例えば、本考案の他の態様として、前記第一の上布片に代えて、前記基布の高さの６０〜９５％の高さの右側縁を有する、上端が左下がりの三角形ないし変形四辺形形状の布片であって、その右側縁を当該基布の右側縁と閉じ合わされた状態とされる布片を用いた金封袱紗が可能であり、この態様によれば、基布の右側縁に設けられた当該翼形状の上布片が、基布の右側縁を折り目として当該中布片の上面側へ折り返された形状が当該ポケット前面部分の最も外側に形成され、元来の袱紗の第三段階の体裁により近似した形状を作成できる。
【００１２】
さらに本考案の他の態様として、前記上布片として、前記基布の高さの６０〜９５％の高さの右側縁を有し、上端が左下がりの三角形ないし変形四辺形形状の布片であって、その右側縁を当該基布の右側縁と閉じ合わされた状態とされる布片を用い、前記中布片として、前記上布片の右側縁の高さの９０〜１１０％の高さの左側縁を有し、上端が右下がりの三角形または変形四辺形形状の布片であって、その左側縁を当該基布の左側縁と閉じ合わされた状態とされる布片を用い、さらに、前記下布片として、前記基布の長辺下端を底辺とする逆ベース型形状の布片であって、その先端の高さが前記上布片の右側縁の高さの９０〜１１０％で、左右両側縁の高さが各々前記先端の高さの３５％以上のものであり、その下端および左右両側縁を当該基布の下端および左右両側縁に閉じ合わされた状態とされる布片を用いることも可能であり、この態様によっても、当該ポケット前面部分において、当該基布の各々左右側縁に設けられた翼形状の中布片および上布片が、各々基布の左側縁および右側縁を折り目として、当該下布片の上面側へ折り返された形状が形成され、元来の袱紗の第三段階の体裁にいっそう近似した形状を作成できる。
【考案の効果】
【００１３】
本考案の前記態様の金封袱紗は、その向き如何で、慶事および弔事のいずれの場面でも使用できる。即ち、当該金封袱紗の表面に何ら模様を設けないか、あるいは模様を設けた場合でも、当該模様が慶弔を問わず使用でき、かつ方向を明示する機能のないものである場合には、前記上布片の右側縁が下にくるように配置した場合には、慶事用の包み形を模した形態となり、前記上布片の右側縁が上にくるように配置した場合には、弔事用の包み形を模した形態となる。
【００１４】
本考案における前記蓋部は、前記金封収容ポケットの開口を覆うように、前記基布の上端を折り目として前記金封収容用のポケットの側に折り返し自在に形成されるものであり、金封を確実に収容および保護する観点から、前記基布の高さの２／３〜１／１の高さを有することが好ましく、より忠実に元来の袱紗包みを模する観点からは、前記金封収容ポケットの側に折り返した時に、前記ポケット前面部の左右両下端角の三角形部分を残して、当該ポケット前面部を覆うベース型形状または、ベース型形状の先端を欠いた等脚台形形状のものが好ましい。
【００１５】
本考案の更なる態様として、前記本考案の金封袱紗における前記蓋部における、前記金封収容用のポケットの側に折り返した時に外側にくる面に、前記基布の前記左側縁側を上方向とする慶事用模様および前記基布の前記右側縁側を上方向とする弔事用模様のいずれかの模様を設けたことを特徴とする金封袱紗が可能であり、このように模様を設けた場合には、模様により使用場面が決定されてしまうが、使用者が、使用場面に応じた正式な形態の金封袱紗を、当該模様の向きを指標として適切な向きで使用することが可能となる。
【００１６】
本考案の金封袱紗は、全体的に絹、レーヨン、ポリエステル、アセテート等の生地から成ることが好ましく、また、金封を確実に保護する観点から、ある程度の硬さを持たせた材から成ることが好ましい。かかる材としては、金封袱紗を全体的に構成する前記生地の袱紗内側にくる面に、厚紙や不織布、レーヨン、ポリエステル、綿等の芯材を合わせたものや、２枚の前記生地の間に、前記芯材を挟持させた３層構造の材等が挙げられる。
【考案を実施するための最良の形態】
【００１７】
以下、実施例を用いて本考案を説明する。
図２に示す本考案の金封袱紗６は、縦１２ｃｍ×横２０ｃｍの横長長方形の基布１と、基布１の下端を底辺として基布１の上面に形成される前面部材Ｆと、基布１の長辺上端の上方に連続的に設けられ、その下辺を折り目として基布１の上面側に折り返し自在に形成された逆ベース型形状の蓋部５（先端Ｐ１から基布１の長辺上端までの長さが１１ｃｍ、左右両側縁の高さが６．５ｃｍのもの）と、から成るものである。図２Ａは、本考案の金封袱紗６を、蓋部５を開いて、ポケットＲ１の前面を上にして置いた状態を示し、図２Ｂは、図２Ａに示す状態の金封袱紗６の蓋部５を、ポケットＲ１の側へ折り畳んだ状態を示す。図２Ａを参照して、前面部材Ｆは、下端の長さが２０ｃｍ、左右両側縁の高さが３．５ｃｍ、先端の高さＨ１が８．５ｃｍで、先端の内角αが１２０°の逆ベース型形状の下布片４と、上端Ｕ２右下がりの直角台形形状の布片３であって、その下端の長さが２０ｃｍ、左側縁の高さが８．５ｃｍ、右側縁の高さが３．５ｃｍの中布片３と、上端Ｕ１左下がりの直角台形形状の布片２であって、その下端の長さが２０ｃｍ、右側縁Ｈ２の高さが８．５ｃｍ、左側縁Ｈ３の高さが３．５ｃｍの上布片２とから成る。下布片４は、基布１の下端下方に連続的に設けたベース型形状の布片を、その上辺を折り目として基布１の上面側に折り返されて、基布１の上面に重ね合わされている。中布片３は、このように重ね合わされた下布片４の上に、下端および左右両側縁を揃えて重ね合わされて、その左右両側縁および下端を、各々基布１の対応する左右両側縁および下端と逢着されており、下布片４の上からずれ外れたり遊離してしまったりすることはない。上布片２は、このように重ねられた下布片４および中布片３の上に重ね合わされて、その左右両側縁および下端を、各々基布の対応する左右両側縁および下端と逢着されており、やはり、下布片４および中布片３の上からずれ外れたり遊離したりすることはない。かかる構成により、下布片４の先端部を左右から中布片３と上布片２が各々斜めに挟むように、中布片３および上布片２が下布片４の上に重ねられた重畳形態の前面部分を有する袋構造、即ちポケットＲ１が、基布１の上面下端から上部一帯に形成される。即ち、このポケットＲ１において、下布片４と基布１の上面との間に金封を安定に挟持・収容可能である。なお、基布１、上布片２、中布片３、下布片４および蓋部５のいずれも、絹から成る生地の、袱紗内側にくる面にレーヨンから成る芯材を張り合わせた材を用いて形成されている。
【００１８】
図３に示す本考案の金封袱紗６'は、図２に示す基布１、中布片３および下布片４と各々同じ基布１'、中布片３'および下布片４'を用い、上布片として、上端Ｕ１'が中布片３'の上端Ｕ２'と対称的に傾斜する変形四辺形形状の布片２'であって、その右側縁の高さＨ２'が８．５ｃｍ、下端Ｌ１'の長さが１０ｃｍで、最も左側の部分Ｐ２から右側縁までの長さが１２ｃｍの上布片２'を用い、蓋部として、等脚台形形状の蓋部５'であって、その上端水平部分Ｕ３から基布１'の長辺上端までの長さが１１ｃｍ、左右両側縁の高さが６．５ｃｍで、上端水平部分Ｕ３の長さが１０ｃｍの蓋部５'を形成して成る金封袱紗である。上布片２'は、右側縁および下端を各々基布１'の右側縁および下端と閉じ合わせてあり、配置がずれたり中布片３'の上から遊離したりすることはない。かかる構成により、図３に示す金封袱紗６'においては、元来の袱紗の第三段階の包み形状をより忠実に模した形態の前面部分を有するポケットＲ２が形成され、このポケットＲ２において、下布片４'と基布１'の間に金封を安定に挟持・収容可能である。
【００１９】
図４に示す本考案の金封袱紗６"は、図２に示す基布１と同じ基布１"を用い、上布片として、上端Ｕ１"が左下がりに傾斜する変形四辺形形状の布片２"であって、右側縁の高さＨ２"が８．５ｃｍ、下端の長さＬ１"が９ｃｍで、最も左側の部分Ｐ３から右側縁までの長さが１２ｃｍでＰ３の下端からの高さが５．５ｃｍの上布片２"を用い、中布片として、上布片２"の鏡像の変形四辺形形状の布片３"であって、その左側縁の高さが８．５ｃｍ、下端の長さが９ｃｍで、上端Ｕ２"が上布片２"の上端Ｕ１"と対称的に傾斜する中布片３"用い、下布片として、逆ベース型形状の布片４"であって、その先端の高さが８．５ｃｍ、左右両側縁の高さが４．５ｃｍ、下端の長さが２０ｃｍで、先端の内角が１３５°の下布片４"を用いた金封袱紗である。下布片４"は、その左右両側縁および下端が各々基布１"の対応する左右側縁および下端と逢着されており、その上に中布片３"を重ね合わせて、当該左側縁および下端を各々基布１"の左側縁および下端と閉じ合わせ、さらにその上に上布片２"を重ね合わせて、当該右側縁および下端を基布１"の右側縁および下端と閉じ合わせてあり、上布片２"も中布片３"も、配置がずれたり下布片４"の上から遊離したりすることはない。かかる構成により、図４に示す金封袱紗６"においても、元来の袱紗の第三段階の包み形状をいっそう忠実に模した形態の前面部分を有するポケットＲ３が形成され、このポケットＲ３において、下布片４"と基布１"の間に金封を安定に挟持・収容可能である。
【００２０】
図５Ａに示す金封袱紗６−Ｉは、図２に示す金封袱紗６の蓋部５の、ポケットＲ１の側に折り返したときに外側に来る部分に慶事用の模様(寿)Ｉ−１を設けて成る、慶事用の金封袱紗である。金封袱紗６−Ｉにおいて、模様Ｉ−１は、基布１の左側を上方向とするものであり、使用時には、模様Ｉ−１の上方向を上にして持ち、金封を出し入れする。
図５Ｂに示す金封袱紗６−ＩＩは、図２に示す金封袱紗６の蓋部５の、ポケットＲの側に折り返したときに外側に来る部分に弔事用の模様(蓮)Ｉ−２を設けて成る、弔事用の金封袱紗である。図５Ｂに示す金封袱紗６−ＩＩにおいて、模様Ｉ−２は、基布１'の右側を上方向とするものであり、使用時には、模様Ｉ−２の上方向が上にくるように持って、金封を出し入れする。
【図面の簡単な説明】
【００２１】
【図１】元来の袱紗の、慶弔事の際の正式な金封の包み方を示す図である。図１Ａは慶事の場面での正式な包み方(右包み)を、図１Ｂは弔事の場面での正式な包み方(左包み)を示す。
【図２】本考案の一態様の金封袱紗を示す図である。図２Ａは、蓋部５を開いた状態を示し、図２Ｂは、蓋部５を閉じた状態を示す。
【図３】本考案の他の態様の金封袱紗を示す図である。
【図４】本考案の他の態様の金封袱紗を示す図である。
【図５】図２に示す金封袱紗の蓋部に模様を施して成る金封袱紗を示す図である。図５Ａは慶事用の模様Ｉ−１を施して成る金封袱紗を、図５Ｂは弔事用の模様Ｉ−２を施して成る金封袱紗を示す。
【符号の説明】
【００２２】
１、１'、１"  基布
２、２'、２"  上布片
３、３'、３"  中布片
４、４'、４"  下布片
５、５'、５"  蓋部
６、６'、６"  金封袱紗
７  慶事用の模様の上方向
８  弔事用の模様の上方向
Ｉ−１  慶事用の模様(寿)
Ｉ−２  弔事用の模様(蓮)
ａ  左隅部分
ｂ  上隅部分
ｃ  下隅部分
ｄ  右隅部分
Ｆ  前面部材
Ｐ１  蓋部の先端
Ｐ２  上布片２'の最も左側の部分
Ｐ３  上布片２"の最も左側の部分
Ｒ１、Ｒ２、Ｒ３  ポケット
Ｕ１、Ｕ１'Ｕ１"  上布片の上端
Ｕ２、Ｕ２'、Ｕ２"  中布片の上端
Ｕ３  蓋部の上端水平部分
α、α'  下布片の先端の内角
Ｈ１  下布片の先端の高さ
Ｈ２  上布片の右側縁の高さ
Ｈ３  上布片の左側縁の高さ
Ｈ４  中布片の左側縁の高さ
Ｌ１、Ｌ１'、Ｌ１"  上布片の下端の長さ
【図１】
0003123866.tif 000003
【図２】
0003123866.tif 000004
【図３】
0003123866.tif 000005
【図４】
0003123866.tif 000006
【図５】
0003123866.tif 000007